(57)【要約】  本発明は、ストリップが生分解性ポリマー、好ましくは表面浸食・非バルク浸食である生分解性ポリマーを含むウェットシェービングシステムにおいて使用する潤滑ストリップを提供する。【特許請求の範囲】
【請求項１】
生分解性ポリマーを含むウェットシェービングシステムで使用する潤滑ストリップ。
【請求項２】
前記生分解性ポリマーは、非バルク浸食である生分解性ポリマーを含む請求項１記載の潤滑ストリップ。
【請求項３】
前記生分解性ポリマーは、表面浸食・非バルク浸食である生分解性ポリマーを含む請求項１記載の潤滑ストリップ。
【請求項４】
潤滑剤をさらに含む請求項１記載の潤滑ストリップ。
【請求項５】
前記潤滑剤は、前記生分解性ポリマーを構成するモノマー又は複数のモノマーに組み込まれた請求項４記載の潤滑ストリップ。
【請求項６】
前記潤滑剤は、ポリエチレンオキサイド及びシクロメタコンからなる群より選ばれたものである請求項４記載の潤滑ストリップ。
【請求項７】
前記潤滑剤は、ポリエチレンオキサイドを含む請求項６記載の潤滑ストリップ。
【請求項８】
前記ポリマーは、ポリ無水物及びそれらのコポリマー、ポリカルボン酸及びそれらのコポリマー、並びにポリオルソエステル及びそれらのコポリマーからなる群より選ばれたものである請求項１記載の潤滑ストリップ。
【請求項９】
前記ポリ無水物ポリマーは、ポリ［ビス（ｐ−カルボキシフェノキシ）プロパン無水物］、ポリ−ビス（ｐ−カルボキシフェノキシ）メタン、ポリ［ビス（ｐ−カルボキシフェノキシ）メタン無水物］、ポリ（ｐ−カルボキシフェノキシ）へキサン無水物、及びそれらのコポリマーからなる群より選ばれたものである請求項８記載の潤滑ストリップ。
【請求項１０】
前記ポリ無水物コポリマーは、セバシン酸又は脂肪酸ダイマーとのポリ無水物コポリマーを含む請求項８記載の潤滑ストリップ。
【請求項１１】
セバシン酸との前記ポリ無水物コポリマーは、ポリ［１，３−ビス（カルボキシフェノキシ）プロパン−コ−セバシン酸］である請求項１０記載の潤滑ストリップ。
【請求項１２】
前記ポリマーは、ポリカルボン酸又はそれらのコポリマーを含む請求項８記載の潤滑ストリップ。
【請求項１３】
前記ポリマーは、ポリオルソエステル又はそれらのコポリマーを含む請求項８記載の潤滑ストリップ。
【発明の詳細な説明】
【技術分野】
【０００１】
本発明は、ウェットシェービングシステムで使用する潤滑ストリップに関する。
【背景技術】
【０００２】
ウェットシェービングシステムにおける潤滑ストリップの使用は広く知られている。そのような潤滑ストリップは、通常かみそりの使用寿命を通して常に劣化しない状態のままであるプラスチックマトリクスからポリエチレンオキサイドのような潤滑剤を滲み出す。例えば、米国特許第５，４５４，１６４号、第４，８７２，２６３号、第４，１７０，８２１号を参照する。これらの開示内容は参照によりすべてここに含める。プラスチックマトリクスから滲み出た潤滑剤は、ユーザの肌表面に沿ってより容易にかみそりブレードを滑らせ、それにより肌でのかみそりの抵抗、すなわちドラグ抵抗を減少させる。マトリクスから滲み出るポリエチレンオキサイド潤滑剤の量は、一般に、とりわけ放出マトリクスの透過性及びポリエチレンオキサイド潤滑剤の固有の拡散特性の関数である。したがって、かみそりブレードの使用のためにポリマーマトリクス表面で得られるポリエチレンオキサイドの量は、潤滑ストリップの使用寿命にわたって徐々に減少する。さらに、水の存在下で膨潤し、それによりストリップ表面に潤滑剤が拡散するチャネルを形成するハイドロゲル潤滑ストリップも知られている。例えば、米国特許第５，６２６，１５４号、第４，８７５，２８７号を参照する。これらの開示内容は参照によりすべてここに含める。ハイドロゲル材料の膨潤のために、拡散プロセスは増強されるが、使用当初で相当安定しているものの、ストリップ表面に達する潤滑剤の量はやはり拡散特性により制限され、再び得られる潤滑剤の量は徐々にゆっくり減少する。
【０００３】
本発明は、ウェットシェービングシステムで有用なポリエチレンオキサイド、又は他の潤滑剤、添加剤あるいは補助剤をデリバリーするための生分解性ポリマー、好ましくは表面浸食・非バルク浸食の生分解性ポリマーを含む潤滑ストリップを提供する。潤滑ストリップを構成するポリマーがそれぞれのかみそりストロークの際にコントロールされた割合で徐々に浸食するので、そのような生分解性ポリマー又はそのような好ましい表面浸食・非バルク浸食の生分解性ポリマーを含む潤滑ストリップは、かみそりの使用寿命にわたって新鮮で安定した量の潤滑剤をユーザの肌に提供する。
【発明の開示】
【０００４】
本発明は、ストリップが生分解性ポリマー、好ましくは表面浸食・非バルク浸食の生分解性ポリマーを含むウェットシェービングシステムで使用する潤滑ストリップを提供する。
【発明を実施するための最良の形態】
【０００５】
本発明は、生分解性ポリマー、好ましくは表面浸食・非バルク浸食の生分解性ポリマーを含むウェットシェービングシステムで使用する潤滑ストリップを提供する。生分解性ポリマーは、水又は生物流体の存在下で分解又は崩壊し、特定の生物活性材料、すなわち薬剤などをデリバリーすることについて有用であることが知られている。好ましい表面浸食・非バルク浸食の生分解性ポリマーは、一般に水や他の生物流体に晒されることによりコントロールされた割合でポリマー浸食を促進する加水分解性結合を有する疎水性基幹を有する。通常、生物活性材料は、生分解性ポリマーマトリクスに組み込まれており、それらの分解でその後放出される。
【０００６】
すべての好ましい表面浸食・非バルク浸食の生分解性ポリマーを含む生分解性ポリマーにおいて、それらのポリマー分解生成物は、（ａ）それらのユーザの皮膚及び環境と毒物学的に相性が良く；（ｂ）潤滑ストリップを構成する潤滑剤及び他の成分、添加剤又は補助剤と化学的に相性が良く；並びに（ｃ）それを適する及び／又は相性良くする適切な物理化学的な特性を所有する。潤滑ストリップの形にそれらを変換するために必要な不可欠な製造プロセス（例えば、圧縮、押出、射出成形、又は溶剤鋳造）は、本発明の実施において使用され得る。
【０００７】
本発明の好ましい態様において、生分解性ポリマーは、非バルク浸食の生分解性ポリマーを含む。バルク浸食の生分解性ポリマーは、表面浸食に加えて又はその代わりに起こるコントロールできない浸食により特徴づけられる。バルク浸食は、マトリクス内に物理的に組み込まれ、カプセル化され、もしくは他の方法で閉じ込められるすべてのその他の成分のコントロールできないで放出を伴って、ポリマーマトリクスの分解をもたらす。バルクもしくはコントロールできない浸食を受ける生分解性ポリマーは、本発明の実施において好ましくない。
【０００８】
本発明の別の好ましい態様において、生分解性ポリマーは、表面浸食・非バルク浸食の生分解性ポリマーを含む。本発明の実施において有用である一般的に好ましい表面浸食・非バルク浸食の生分解性ポリマーは、ポリ無水物及びそれらのコポリマー、ポリカルボン酸及びそれらのコポリマー、並びにポリオルソエステル及びそれらのコポリマーを含む。好ましい表面浸食・非バルク浸食の生分解性ポリマーがコポリマー、例えば２つ又はそれ以上のモノマーが組み込まれたポリマーを含むとき、そのようなコポリマーは、ランダム（コポリマー内にランダムに配置されたモノマーサブユニット）、ブロック（種々の繰り返しサブユニットの長いシーケンス）、又は交互（第２の種類のモノマーシーケンスに結合するタイプのモノマーシーケンス）であるコポリマーサブユニットを有し得る。
【０００９】
一般的に好ましいポリ無水物及びそれらのコポリマーは、当業者により一般に良く知られているものである。これまで、そのようなポリ無水物及びそのコポリマーは、治療剤（therapeutants）の劣化を伴わずに、ポリマーマトリクスの分解が所望のもしくは所定の長さの時間にわたって処理対象に安定した割合でそのような治療剤を放出するような薬剤デリバリーシステムで有用性を示す。例えば、米国特許第５，６２９，００９号、第５，５４５，４０９号、第４，８９１，２２５号を参照する。これらの開示内容は参照によりここに含める。本質的にたいてい疎水性であるそのようなポリ無水物ポリマー及びそれらのコポリマーは、一般的に種々の範囲の有機及び無機基体を組み込むことができ、通常ポリマーを構成するモノマーの割合に依存した割合で分解する。ポリ無水物コポリマーの場合において、コポリマーサブユニットの割合は、分解速度を決定する。例えば、セバシン酸がコポリマーを構成するとき、セバシン酸サブユニットの数が多いほど、分解速度が速くなる。
【００１０】
本発明の実施において有用な好ましいポリ無水物は、ポリ［ビス（ｐ−カルボキシフェノキシ）プロパン無水物］、ポリ−ビス（ｐ−カルボキシフェノキシ）メタン、ポリ［ビス（ｐ−カルボキシフェノキシ）メタン無水物］、ポリ（ｐ−カルボキシフェノキシ）へキサン無水物、及び例えばセバシン酸及び／又は脂肪酸ダイマーを含む他の物質とのそれらのコポリマーを含む。本発明の実施において有用である一般的に好ましいコポリマーは、ポリ［１，３−ビス（カルボキシフェノキシ）プロパンーコーセバシン酸］である。好ましいポリ無水物及びそれらのコポリマーは、米国特許第４，７８９，７２４号で開示されたようにして調製され得る。この開示内容は参照によりここに含める。
【００１１】
一般的に好ましいポリカルボン酸ポリマー及びそれらのコポリマーも、当業者に一般的によく知られているものである。たいてい、ポリカルボン酸ポリマーは、本質的に、及びそのようなポリマーが浸食し始める相対的に塩基性の環境、すなわち約６〜約９の範囲のｐＨで疎水性である。ポリカルボン酸ポリマーの浸食速度は、一般的にポリマーに存在するカルボン酸残基の数に依存する。すなわち、そのような残基数が多いほど、ポリマー浸食の速度が遅くなる。
【００１２】
一般的に好ましいポリオルソエステルポリマー及びそれらのコポリマーも、当業者に一般的に良く知られているものである。これまで、そのようなポリオルソエステルポリマー及びそれらのコポリマーは、治療剤の劣化を伴わずに、ポリマーマトリクスの分解が所望のもしくは所定の長さの時間にわたって処理対象に均一の割合でそのような治療剤を放出するような薬剤デリバリーシステムで有用性を示す。薬剤デリバリーシステムで使用されるそのようなポリオルソエステルの例は、とりわけ米国特許第５，３３６，５０５号、第５，４６１，１４０号に開示されている。これらの開示内容は参照によりここに含める。オルソエステル繰り返しユニット及び炭化水素ラジカルを含むさらなる典型的なポリオルソエステルは、とりわけ米国特許第４，１１９，５７９号に開示されている。
【００１３】
コントロールされた浸食速度を有する生分解性ポリマーを含む本発明の潤滑ストリップのさらなる好ましい実施の形態をここに開示する。そのようなさらなる好ましいポリマーは、アミノ酸ポリマー及びポリ（アミノ酸エステル）フォスファゼンからなる群より選ばれたものである。
【００１４】
さらなる好ましいアミノ酸ポリマーも、当業者に良く知られているものである。そのようなアミノ酸ポリマーの例は、例えば米国特許第４，６３８，０４５号に開示されている。この開示内容は参照によりここに含める。一般的に、このクラスのポリマーは、複数の加水分解性活性サイトを有するポリマーを含み、これらのポリマーの分解速度は、ポリマーを構成するアミノ酸残基の数及びタイプに依存する。
【００１５】
さらなる好ましいポリ（アミノ酸エステル）フォスファゼンポリマーは、例えば米国特許第４，９７５，２８０号に開示されたようにして調製され得る。この開示内容は参照によりここに含める。本発明の実施において有用であり、前述の米国特許第４，９７５，２８０号に開示されたように調製され得る一般的な好ましいポリ（アミノ酸エステル）フォスファゼンは、ポリ−ビス（エチルグリシノ）フォスファゼンを含む。
【００１６】
本発明の実施において有用であるさらなるポリマーは、２〜１６の炭素原子を含む（α）−ヒドロキシ脂肪酸のホモ−及びコポリマー、でんぷん、ポリリジニン（polyliginins）、ポリキチン、セルロースポリマー、並びにポリヒドロキシブタン酸及びポリヒドロキシブタン酸／ヒドロキシ吉草酸コポリマーからなる群より選ばれた疎水性ポリマーを含む。
【００１７】
本発明の潤滑ストリップを構成する好ましい表面浸食・非バルク浸食の生分解性ポリマーを含む生分解性ポリマーはさらに潤滑剤を含む。ウェットシェービングシステムで有用であり、潤滑ストリップを構成する生分解性ポリマーと化学的に相性の良いいかなる従来の潤滑剤、潤滑添加剤又は補助剤も本発明により使用され得る。それらのコントロールされた放出が維持されるように、潤滑剤、添加剤又は補助剤がポリマーマトリクスに均一に分散されることが一般に好ましい。潤滑剤は一般にポリマーマトリクス内に物理的に組み込まれ、カプセル化され、あるいは他の方法で閉じ込められるけれども、望ましく又は必要に応じて、潤滑剤が特定のポリマー又はコポリマーを構成するモノマーサブユニット又はサブユニットに組み込まれて、それによりポリマー構造の一部となっても良いことは理解されるべきである。そのような構造において、潤滑剤は、ポリマーの漸進的な劣化によりユーザの皮膚に順々に放出される。本発明の実施において有用な典型的な従来の潤滑剤は、例えばシクロメタコン（cyclomethacone）、ポリエチレンオキサイドなどを含み得る。ポリエチレンオキサイドは、一般的に好ましい潤滑剤である。
【００１８】
望ましく又は必要に応じて、潤滑剤、潤滑添加剤又は補助剤は、ラノリン、オイル、化粧水や乳液、エモリエントなどを含むウェットシェービングシステムに有用である従来の皮膚コンディショナー、液体あるいは同種成分とポリマーマトリクスにおいて混合され得る。さらなる成分は、例えば（１）治療剤（にきび、フレイキー（flaky）、かゆみ）、バランシング剤（ドライ又はオイリースキン、ｐＨ調整、化粧水や乳液、シーズナル溶液）、若返り／蘇生剤（ビタミン治療、薬用植物、コンディショナー、酸、細胞再生）、クレンジング剤（抗バクテリア、ナチュラル、低アレルゲン性、植物採取、芳香性又は無芳香）又はスキンプロテクト剤（ＵＶ、抗老化、抗皺）のようなスキンヘルス関連成分；（２）メタノールや痛み緩和（アスピリン）のようなスキン感覚剤（skin  sensation  agents）；（３）ネオスポリンを含む鎮静剤（soothing  agents）；（４）ひげ柔軟剤（beard  softners）、毛髪成長抑制剤（hair  growth  inhibitors）、毛髪外層劣化剤（hair  outer  layer  degradants）、毛髪水和剤（hair  hydrating  agents）、ヘアコンディショナー又は毛髪軽量化剤（hair  thinning  agents）のような毛髪処理剤；（５）タンニング剤のような化粧品；（６）パフュームやエッセンスを含む芳香剤（aromatherapeutants）；並びに（７）オイル、ミルク、蜂蜜、ゲル、クリーム、バルサム、触媒又は活性剤（effervescents）を含む他の薬剤を含んでも良い。
【国際調査報告】
2005524507.tif 000002
2005524507.tif 000003
2005524507.tif 000004